(57)【要約】【課題】天疱瘡患者の自己抗体、及びデスモグレインに対する自己抗体を吸着する安全性、保存安定性に優れた吸着材及び治療用吸着器を提供することを課題とする。【解決手段】チエニル基を含む化合物からなるリガンドが水不溶性担体に固定化されていることを特徴とする自己抗体吸着材及び血液又は血漿を流入させる入り口ポートと、血液又は血漿を流出させる出口ポートを有する容器に上記自己抗体吸着材が充填されていることを特徴とする体外循環モジュール。【選択図】  図１
2008194304.tif 000002
【特許請求の範囲】
【請求項１】
チエニル基を含む化合物からなるリガンドが水不溶性担体に固定化されていることを特徴とする天疱瘡の自己抗体吸着材。
【請求項２】
チエニル基を含む化合物からなるリガンドが水不溶性担体に固定化されていることを特徴とするデスモグレインに対する自己抗体吸着材。
【請求項３】
前記リガンドの炭素数が４個〜８個であることを特徴とする請求項１または２記載の自己抗体吸着材。
【請求項４】
前記リガンドが２−チオフェンエチルアミンであることを特徴とする請求項１〜３の何れかに記載の自己抗体吸着材。
【請求項５】
前記リガンドの固定化量が、水不溶性担体１ｍｌ当り１０μｍｏｌ〜２００μｍｏｌであることを特徴とする請求項１〜４の何れかに記載の自己抗体吸着材。
【請求項６】
前記水不溶性担体が粒子状の多孔質体であり、排除限界分子量が１５万〜１０００万であることを特徴とする請求項１〜５の何れかに記載の自己抗体吸着材。
【請求項７】
血液又は血漿を流入させる入口ポートと、血液又は血漿を流出させる出口ポートを有する容器に請求項１〜６の何れかに記載の自己抗体吸着材が充填されていることを特徴とする体外循環モジュール。
【発明の詳細な説明】
【技術分野】
【０００１】
本発明は、天疱瘡患者の血液中に存在する自己抗体の吸着材及び体外循環モジュールに関する。
【背景技術】
【０００２】
天疱瘡は皮膚や粘膜表面に水疱が多発して難治性のびらん面となり、時として死にいたる重篤な病である。疫学的には男性に比して女性に多く、５０歳代をピークに３０〜６０歳代で好発する。症状としては可視粘膜、特に口腔内のびらんで初発することが多く、水疱やびらんはやがて汎発化し全身熱傷様を呈する。水疱は弛緩性で破れやすく、早くびらんを作り、さらに進行拡大して表皮形成も悪い。しかも疼痛が強くて患者を苦しめる。特に口腔疹は摂食を妨げ、皮膚の広範囲のびらんからの血清喪失とともに低蛋白血症の原因となる。憎悪期には外見上正常な皮膚面を指尖で圧迫しながらずらせると表皮剥離を起こす（ニコルスキー現象）。治療は困難であり、いわゆる難病として国の特定疾患に指定されている。治療が不適切な場合、内臓諸器官の萎縮と機能障害、さらに感染に対する無防備などにより死に至る。
【０００３】
天疱瘡は臨床的及び組織学的特徴によって尋常性天疱瘡と落葉状天疱瘡の二つのタイプに分けることができる。すべての天疱瘡においてその病変は表皮角化細胞（ケラチノサイト）の細胞間接触の障害（以下、「棘融解」という）による表皮内水疱形成であるが、尋常性天疱瘡では基底層直上に棘融解を生じ、落葉状天疱瘡では表皮上層角層下に水疱を生ずる。
【０００４】
尋常性天疱瘡及び落葉状天疱瘡のどちらにおいても、その病変部皮膚を蛍光抗体法で調べてみると、上皮細胞にIgGの沈着が見られ、特徴的な細胞間染色パターンを示す。さらに、非特許文献１、２には、患者血中には上皮細胞膜表面に結合するIgGが検出されたことが記載されている。また、非特許文献３には、天疱瘡の患者から精製されたIgGを新生マウスに注射すると、マウス皮膚に患者においてみられるのと同じ組織学的特徴を持つ水疱が形成されることが示されている。又、非特許文献４、５には、器官培養を行っている皮膚の培養液に天疱瘡の患者から精製されたIgGを添加すると細胞接着の消失をきたすことが報告されている。すなわち、天疱瘡患者は自己上皮組織に対するIgGを産生し、当該IgGは、天疱瘡の主たる病態である水疱形成において上皮の細胞間接着を消失させる病因を担っていると考えられている。
【０００５】
非特許文献６〜１１では、尋常性天疱瘡及び落葉状天疱瘡の抗体が標的とする抗原についての免疫化学的な分析から、それらがそれぞれ130kD及び160kDの糖蛋白質であることが明らかにされた。さらに非特許文献１２、１３では、cDNAのクローニングによってこれらの抗原分子がともに細胞間接着分子であるカドヘリンスーパージーンファミリーに属するデスモグレイン（以下、「Dsg」という）のサブファミリーに属することが明かにされた。そして、非特許文献１４には、尋常性天疱瘡及び落葉状天疱瘡の標的抗原は、現在それぞれデスモグレイン3（以下、「Dsg3」という）及びデスモグレイン1（以下、「Dsg1」という）と呼ばれていることが記載されている。
【０００６】
非特許文献１５の記載によれば、天疱瘡患者では、上皮中にある細胞接着因子カドヘリンの１種であるDsg1、あるいはDsg3に対する自己抗体が産生され、その抗体がDsg1やDsg3と反応することにより接着因子としてのDsgの機能を阻害し、２次的にプラスミン、補体などを活性化して表皮の剥離に至ると考えられている。
【０００７】
現在、天疱瘡患者に対する治療は、ステロイドと呼ばれる副腎皮質ホルモン剤の全身投与が行われるが、副作用が強いため、血漿交換療法（二重ろ過血漿交換を含む）が併用されている。また、免疫抑制剤やガンマグロブリン大量静注療法が検討されている。ステロイド、免疫抑制剤は自己免疫作用を抑制すると考えられ、長期投与では感染症の悪化や骨頭壊死などの重篤な副作用を引き起こすことが知られている。また、血漿交換療法やガンマグロブリン大量静注療法は病因抗体を除去あるいは中和すると考えられているが、献血由来の血漿成分を使用するため、ウイルスや未知の病原体に感染する恐れがある。したがって、現状の天疱瘡の治療法は全ての患者に対して十分とはいえず、新たな治療法が望まれている。その一つとして、Dsg3あるいはDsg1に対する自己抗体を選択的に吸着する治療器具が検討されている。
【０００８】
特許文献１には、尋常性天疱瘡の標的抗原が細胞接着を担う蛋白質であるカドヘリンの類似蛋白質であり、同じく細胞接着に関与していると考えられる蛋白質Dsg3とIgGとの融合蛋白が尋常性天疱瘡の治療に用いられることが記載されており、その融合蛋白質を担体に固定化した吸着剤材を有することを特徴とする尋常性天疱瘡の治療器具が考案されている。
【０００９】
又、特許文献２には、落葉状天疱瘡の標的抗原が細胞接着を担う蛋白質であるカドヘリンの類似蛋白質であり、同じく細胞接着に関与していると考えられる蛋白質Dsg１とIgGとの融合蛋白が尋常性天疱瘡の治療に用いられることが記載されており、その融合蛋白質を担体に固定化した吸着材を有することを特徴とする落葉状天疱瘡の治療器具が考案されている。
【００１０】
しかしながら、上記特許文献１，２のいずれも担体に固定化されるリガンドは、融合蛋白質であるため、リガンドの抗原性が問題となり、また、リガンドの保存安定性や滅菌時の安定性が悪く、又、体外循環時に血液や血漿と接触した際に加水分解する恐れがあった。さらに、融合蛋白質の生産は、バイオプロセスによるため、生産に多大な労力を要し、生産コストが高く、作製時にエンドトキシンが混入する危険性が高く、十分な安全性を確保するためにエンドトキシン除去など精製行程にも非常に手間とコストがかかり、リガンド作製のための労力、設備、時間、コスト等が莫大になるという欠点があった。
【非特許文献１】ボイトナー（E.H.Beutner）ら、Proc Soc Exp Biol Med、1964年、 第117号、505-510頁
【非特許文献２】スタンレー（J.R.Stanley）ら、Journal of Clinical Investigation、1989年、第83号、1443-1448頁
【非特許文献３】アンハルト（G.J.Anhalt）ら、New England Journal of Medicine、1982年、第306巻、1189-1196頁
【非特許文献４】ハシモトら、Journal of Experimental Medicine、1983年、第157巻、259-272頁
【非特許文献５】シュルツ（J.R.Schiltz）ら、Journal of Investigative Dermatology、1976年、第６７巻、254-260頁
【非特許文献６】スタンレー（J.R.Stanley）ら、Journal of Clinical Investigation、1982年、第70号、281-288頁
【非特許文献７】スタンレー（J.R.Stanley）ら、Journal of Clinical Investigation、1984年、第74号、313-320頁
【非特許文献８】クール（L.Koulu）ら、Journal of Experimental  Medicine、1984年、第160号、1509-1518頁
【非特許文献９】アイル（R.W.Eyre）ら、Journal of Clinical Investigation、1988年、第81号、807-812頁、
【非特許文献１０】ハシモトら、Journal of Investigative Dermatology、1990年、第94号、327-331頁
【非特許文献１１】コールマン（N.J.Korman）ら、New England Journal of Medicine、1989年、第321号、631-635頁
【非特許文献１２】European Journal of Cell Biology、第53号、1-12頁、1990年、コッホ（P.J.Koch）ら
【非特許文献１３】アマガヤら、Cell、1991年、第67巻、869-877頁
【非特許文献１４】バクストン（R.S.Buxton）ら、Journal of Cell Biology、1993年、第121巻、481-483頁
【非特許文献１５】天谷雅行、1992年、最新医学、第47巻、159-161頁
【特許文献１】特開平８−１８８５４０号公報
【特許文献２】特開平９−７７８００号公報
【発明の開示】
【発明が解決しようとする課題】
【００１１】
本発明は、天疱瘡患者の自己抗体、更にDsgに対する自己抗体を吸着する、安全性、保存安定性に優れた吸着材及び治療用吸着器を提供することを課題とする。
【課題を解決するための手段】
【００１２】
本発明者らは、上記課題を解決すべく鋭意検討を行った結果、チエニル基を含む化合物からなるリガンドが水不溶性担体に固定化されている吸着材が天疱瘡患者の自己抗体を選択的に、且つ高率に吸着し、安全性、保存安定性に優れていることを見出し、本発明を完成するに至った。すなわち、本発明は、以下に関する。
【００１３】
（１）チエニル基を含む化合物からなるリガンドが水不溶性担体に固定化されていることを特徴とする天疱瘡の自己抗体吸着材。
（２）チエニル基を含む化合物からなるリガンドが水不溶性担体に固定化されていることを特徴とするデスモグレインに対する自己抗体吸着材。
（３）前記リガンドの炭素数が４個〜８個であることを特徴とする（１）または（２）記載の自己抗体吸着材。
（４）前記リガンドが２−チオフェンエチルアミンであることを特徴とする（１）〜（３）の何れかに記載の自己抗体吸着材。
（５）前記リガンドの固定化量が、水不溶性担体１ｍｌ当り１０μｍｏｌ〜２００μｍｏｌであることを特徴とする（１）〜（４）の何れかに記載の自己抗体吸着材。
（６）前記水不溶性担体が粒子状の多孔質体であり、排除限界分子量が１５万〜１０００万であることを特徴とする（１）〜（５）の何れかに記載の自己抗体吸着材。
（７）血液又は血漿を流入させる入口ポートと、血液又は血漿を流出させる出口ポートを有する容器に（１）〜（６）の何れかに記載の自己抗体吸着材が充填されていることを特徴とする体外循環モジュール。
【発明の効果】
【００１４】
本発明に係る自己抗体吸着材は、天疱瘡の自己抗体、及びDsgに対する自己抗体を吸着することができる。特に、抗Dsg抗体（抗Dsg1抗体、抗Dsg3抗体）を選択的に、且つ高率に吸着し、該吸着材は、安全性、保存安定性に優れている。また該吸着材を封入した体外循環モジュールを用いることにより、天疱瘡患者の血液から体外循環により抗Dsg抗体（抗Dsg1抗体、抗Dsg3抗体）を含む天疱瘡自己抗体を安全に除去できる。
【発明を実施するための最良の形態】
【００１５】
以下、本発明について詳細に述べる。
本発明でいうリガンドは、チエニル基を含む化合物からなるリガンドである必要がある。リガンドに含まれるチエニル基の数には、特に限定はないが、リガンドの化学的安定性や血液適合性を考慮すると1個〜５個が好ましい。
【００１６】
本発明でいうリガンドの炭素数は、４個以上８個以下であることが好ましい。炭素数が４個以下だと、抗Dsg抗体（抗Dsg1抗体、抗Dsg3抗体）の吸着性が著しく低下してしまう。リガンドの炭素数は、８個を超えると、リガンドの疎水性が増し、抗Dsg抗体（抗Dsg1抗体、抗Dsg3抗体）の吸着性はあがるが、血漿中の他のタンパクも吸着してしまう非特異的吸着が起こり、血液適合性が悪くなる。又、リガンド固定時の溶解性や保存安定性も悪くなるので好ましくない。
【００１７】
チエニル基を含む化合物からなるリガンドとしては、担体への固定化や抗Dsg抗体吸着に有効な第１級アミンを一つ以上有しているアミン化合物であることが好ましい。具体的には、チエニル基を含むアミノ酸であるチエニルグリシン、チエニルアラニン、チエニルセリンが挙げられる。尚、本明細書において記載されるアミノ酸及びアミノ酸誘導体は、特に断りのない限りL体である。さらに、カルボン酸を含まないチエニル基を含む化合物である２−チオフェンエチルアミンは、チエニル基を含むアミノ酸よりも抗デスモグレイン抗体吸着能に優れているので、リガンドとして好適に用いることができる。
【００１８】
本発明でいう水不溶性担体とは、吸着材が血液に接触した際に血液中に溶け出さない程度に、水に溶け難い担体のことをいう。
【００１９】
低分子リガンドを固定化する際に使用する担体としては、親水性の表面を有し、かつ低分子リガンドとの間で共有結合を形成させるために利用し得るアミノ基、カルボキシル基、水酸基などの反応性の官能基を有するものが好ましい。また、上記の水不溶性担体は吸着させ得る有効表面積が広い多孔性であるものが望ましい。
【００２０】
担体は粒子状、繊維状、シート状、中空糸状などの任意の形状を用いることができるが、リガンドの保持量や吸着材としての取扱い性を考慮すると、粒子状のものが好ましい。
【００２１】
球状または、粒子状担体の平均粒径は、２５μｍ〜２５００μｍのものを利用できるが、その比表面積（吸着材としての吸着能力）と体液の流通性を考慮すると、５０μｍ〜１５００μｍのものが好ましい。
【００２２】
使用できる担体としては、セルロース系ゲル、デキストラン系ゲル、アガロース系ゲル、ポリアクリルアミド系ゲル、多孔質ガラス、ビニルポリマーゲル等の有機または無機の多孔体が使用でき、通常のアフィニティクロマトグラフィーに用いられる担体用の材料は全て用いることができる。
【００２３】
これらの担体を例示すると、旭化成マイクロキャリア（旭化成（株）社製）、ＣＭ−セルロファイン（登録商標）ＣＨ（排除限界タンパク質分子量：約３×１０６、生化学工業（株）販売）などのセルロース系担体、特公平１−４４７２５号公報記載の全多孔質活性化ゲルや、ＣＭ−トヨパール（登録商標）６５０Ｃ（排除限界タンパク質分子量：５×１０６、東ソー（株）製）などのポリビニルアルコール系担体、ＣＭ−トリスアクリルＭ（ＣＭ−Ｔｒｉｓａｃｒｙｌ  Ｍ）〔排除限界タンパク質分子量：１×１０７、スウェーデン国ファルマシア−ＬＫＢ（Ｐｈａｒｍａｃｉａ−ＬＫＢ）社製〕などのポリアクリルアミド系担体、セファロースＣＬ−４Ｂ（ＳｅｐｈａｒｏｓｅＣＬ−４Ｂ）〔排除限界タンパク質分子量：２×１０７、スウェーデン国ファルマシア−ＬＫＢ（Ｐｈａｒｍａｃｉａ−ＬＫＢ）社製〕などのアガロース系担体などの有機質担体、およびＣＰＧ−１０−１０００〔排除限界タンパク質分子量：１×１０８、平均細孔径：１００ｎｍ、米国エレクトロ−ニュークレオニクス（Ｅｌｅｃｔｒｏ−ｎｕｃｌｅｏｎｉｃｓ）社製〕などの多孔性ガラスなどの無機質担体が挙げられる。
【００２４】
本発明で用いられる多孔性重合体粒子は、リガンドを固定化できるものであり、排除限界分子量（タンパク質）としては、本発明の目的吸着物質の分子量が約１５万（ＩｇＧ）であることより１５万〜１０００万が好ましい。本発明の目的に最も好ましい排除限界分子量は１００万〜５００万である。
【００２５】
重合体組成は、ポリアミド系、ポリエステル系、ポリウレタン系、ビニル化合物の重合体等、多孔性構造をとりうる公知の重合体を用いることができるが、特に親水性モノマーにより親水化したビニル化合物系多孔性重合体が好ましい結果を与える。
【００２６】
リガンドの水不溶性担体への固定化方法としては、その様式を問わないが、共有結合が好ましい。例えば、担体がカルボキシル基を有する場合には、Ｎ−ヒドロキシコハク酸イミドと反応させることによって、スクシンイミドオキシカルボニル基に変換し、これにリガンドをアミノ基の部分で反応させる方法（活性エステル法）が挙げられる。担体がアミノ基またはカルボキシル基を有する場合には、ジシクロヘキシルカルボジイミドなどの縮合試薬の存在下で、リガンドのカルボキシル基またはアミノ基を縮合反応させる方法（縮合法）、担体とリガンドとをグルタルアルデヒドなどの２個以上の官能基を有する化合物を用いて結合する方法などが挙げられる。また、担体が、水酸基を有する場合には、臭化シアンなどのハロゲン化シアンを担体に作用させ、リガンドのアミノ基の部分で反応させる方法やエピクロロヒドリンなどのエポキシドを担体に作用させ、リガンドのアミノ基の部分や水酸基の部分で反応させる方法等が挙げられる。
【００２７】
さらに、必要に応じて水不溶性担体とリガンドとの間に任意の長さの分子（スペーサー）を導入して使用することもできる。スペーサー分子としては、ポリメチレン鎖、ポリエチレングリコール鎖等が挙げられる。例えば、アガロースの水酸基とヘキサメチレンジイソシアナートの片側のイソシアナート基を反応、結合させ、残ったイソシアナート基とリガンドのアミノ基、水酸基、カルボキシル基等を反応、結合させることができる。
【００２８】
本発明で担体に結合させるリガンドの量、すなわち、リガンドの保持量は、担体１ｍｌ当り１０μｍｏｌないしは２００μｍｏｌの範囲であり、より好ましくは１０μｍｏｌないしは１００μｍｏｌの範囲である。保持量が１０μｍｏｌ未満の場合は、抗Dsg抗体の吸着能の低下が起こり、２００μmolを超える場合は、血漿有用成分の非特異吸着が起こり好ましくない。
【００２９】
本発明でいう天疱瘡の自己抗体とは、天疱瘡の病因物質となっている自己の抗原に対する抗体のことを意味する。とりわけ、尋常性天疱瘡及び落葉状天疱瘡の標的抗原であるDsg３及びDsg１に対する自己抗体、すなわち、抗Dsg抗体（抗Dsg１抗体及び抗Dsg３抗体）を吸着除去することは、効果的な治療法となる。
【００３０】
抗Dsg抗体吸着材に対する抗Dsg抗体（抗Dsg１抗体及び抗Dsg３抗体）の吸着量を測定する方法としては、抗Dsg抗体吸着材に抗Dsg抗体溶液を加え、抗Dsg抗体（抗Dsg１抗体及び抗Dsg３抗体）を吸着させ、抗Dsg抗体溶液中の抗Dsg抗体（抗Dsg１抗体及び抗Dsg３抗体）の減少量率を測定する方法が挙げられる。例えば、リガンドが固定化された担体を、一定時間、抗Dsg抗体（抗Dsg１抗体及び抗Dsg３抗体）溶液に浸漬させ、その後  抗Dsg抗体（抗Dsg１抗体及び抗Dsg３抗体）の減少量率をELISA法によって定量して求めることができる。
【００３１】
本発明の自己抗体吸着材は、体液の導出入口を備えた容器内に充填保持して使用することができる。
【００３２】
図１において、１は、本発明の自己抗体吸着材を使用した体外循環モジュールの一例を示すものであり、円筒２の一端開口部に、内側にフィルター３を張ったパッキン４を介して体液導入口５を有するキャップ６をネジ嵌合し、円筒２の他端開口部に内側にフィルター３´を張ったパッキン４´を介して体液導出口７を有するキャップ８をネジ嵌合して容器を形成し、フィルター３および３´の間隙に吸着材を充填保持させて吸着材層９を形成してなるものである。
【００３３】
吸着材層９には、本発明の自己抗体吸着材を単独で充填してもよく、他の吸着材と混合もしくは積層してもよい。他の吸着材としては、例えばＤＮＡ等の他の悪性物質（抗原）の吸着材や、幅広い吸着能を有する活性炭等を用いることができる。これにより吸着材の相乗効果による広範な臨床効果が期待できる。吸着材層９の容積は、体外循環に用いる場合、５０ｍｌ〜４００ｍｌ程度が適当である。
【００３４】
本発明の体外循環モジュールを体外循環で用いる場合には、大きく次の二通りの方法がある。一つには、体内から取り出した血液を遠心分離機もしくは膜型血漿分離器を使用して、血漿成分と血球成分とに分離した後、血漿成分を該体外循環モジュールに通過させ、浄化した後、血球成分と合わせて体内にもどす方法であり、他の一つは、体内から取り出した血液を直接該体外循環モジュールに通過させ、浄化する方法である。
【００３５】
また、血液もしくは血漿の通過速度については、本発明の吸着材の吸着能率が非常に高いため、吸着材の粒度を粗くすることができ、また充填度を低くできるので、吸着材層の形状の如何にかかわりなく、高い通過速度を与えることができ、そのため多量の体液処理をすることができる。
【００３６】
体液の通過方法としては、臨床上の必要に応じ、あるいは設備の装置状況に応じて、連続的に通液しても良いし、また断続的に通液使用しても良い。
【実施例】
【００３７】
以下、実施例によって本発明をさらに詳細に説明するが、本発明はこれらに限定されるものではない。
[実施例１〜４]
【００３８】
１．吸着材の作製方法
ポリ酢酸ビニル製の球状の多孔質体（旭硝子株式会社製、平均粒径１００μｍ、排除限界分子量約１００万以上、樹脂１ｍｌに充填できる分子量４万のプルランの量が０．２０ｍｌ／ｍｌ以上）１００ｇを、ジメチルスルフォキシド（和光純薬株式会社製）１Ｌに投入し、水酸化ナトリウム（和光純薬株式会社製）１２０ｇ・エピクロルヒドリン（和光純薬株式会社製）７８０ｍｌ・水素化ホウ素ナトリウム（和光純薬株式会社製）７５０ｍｇを用いて３０℃で５時間反応させてエポキシ基を導入した。反応後、メタノール（和光純薬株式会社製）で洗浄し、その後、純水で洗浄して活性化多孔質体を得た。得られた多孔質体に導入されたエポキシ基の量は１１０μｅｑ／ｍｌｇｅｌ以上である事を、滴定法（１．３ｍｍｏｌ/ｌチオ硫酸ナトリウム水溶液（和光純薬株式会社製）４ｍｌと活性化担体２ｍｌに１％フェノールフタレインエタノール溶液（和光純薬株式会社製）２滴を滴下し、７０℃下で、赤色の呈色が確認されなくなるまで０．１Ｎ塩酸を加え、「活性化量（エポキシ基の量）＝塩酸滴定量/樹脂量×１００」の式により、導入されたエポキシ基の量を求め、１１０μｅｑ／ｍｌゲル以上である事を確認した。
【００３９】
２．固定化反応
次にｐＨ９．３の炭酸緩衝液（和光純薬株式会社製、炭酸ナトリウム／炭酸水素ナトリウム）を溶媒とし、実施例１〜４については、５０μｅｑ／ｍｌゲルの固定量が得られるようにリガンドを溶解した。作製したリガンド溶液と担体を、５０℃で１６時間反応させて、アミノ基と多孔質体のエポキシ基とを共有結合させて吸着材を得た。リガンドとして、実施例１：チエニルグリシン（Ｌ−α−（３−ＴＨＩＥＮＹＬ）ＧＬＹＣＩＮＥ）、実施例２：チエニルセリン（β−（２−ＴＨＩＥＮＹＬ−ＤＬ−ＳＥＲＩＮＥ））、実施例３：チエニルアラニン（β−（２−ＴＨＩＥＮＹＬ）−Ｄ−ＡＬＡＮＩＮＥ））、（実施例１〜３のりガンドはＳＩＧＭＡ社製）、実施例４：２−チオフェンエチルアミン（２−ＴＨＩＯＰＨＥＮＥＥＴＨＹＬＡＭＩＮＥ）（和光純薬株式会社製）のものを用いた。固定化量はリガンド溶液の波長２００ｎｍ〜２８０ｎｍの吸光度スペクトルを測定し、最も高い吸光度を示す波長を用いて、反応前後の差から１ｍｌゲルあたりの固定量（ｅｑ／ｍｌゲル）として算出した。
【００４０】
３．吸着反応
マイクロプレート（Ｆａｌｃｏｎ社製、Ｎｏ．３５０４）にウエルあたり０．５ｍｌの吸着材を入れ、そこに天疱瘡患者血漿１．０ｍｌを加え、室温にて、振盪しながら６０分間反応させた。
【００４１】
４．分析
反応後の血漿から吸着材を除去し、サンプルとした。天疱瘡自己抗体（抗Ｄｓｇ１抗体および抗Ｄｓｇ３抗体）の濃度をＥＬＩＳＡ法にて検出し、元血漿中抗Ｄｓｇ抗体量と反応後の血清中抗Ｄｓｇ抗体量の差を吸着量として算出した。吸着性能は、「吸着率（％）＝（１−吸着反応後血漿濃度／元血漿濃度）×１００」の式で算出した。
【００４２】
[比較例１〜１２及び参考例]
比較例として、炭素数が６個以下のチエニル基を含まない化合物をリガンドとして用いた以外は、実施例に記載と同様の方法で実施し、固定化反応は、５０μｅｑ／ｍｌゲルの固定量が得られるようにリガンドを溶媒に溶解した。又、参考例として、リガンドを固定しない活性化後担体を用いて実施例に記載と同様の方法で実施した。
リガンドとして、比較例１：グリシン、比較例２：アラニン、比較例３：セリン、比較例４：システイン、比較例５：スレオニン、比較例６：アスパラギン、比較例７：アスパラギン酸、比較例８：メチオニン、比較例９：プロリン、比較例１０：ヒスチジン、比較例１１：イソロイシン、比較例１２：アルギニン（比較例１〜１２のリガンドはＳＩＧＭＡ製）を用いた。
【００４３】
[結果]
実施例１〜４、比較例１〜１２と参考例（リガンドなし）の結果を合わせて表１に示した。その結果、実施例のチエニル基もつリガンドを有する吸着材はいずれも比較例に比して、抗Ｄｓｇ１抗体、抗Ｄｓｇ３抗体の吸着率が高く、天疱瘡患者血漿の中から選択的にこれらを吸着している事が判る。
【００４４】
【表１】
2008194304.tif 000003
【００４５】
＜実施例５〜８及び参考例＞
リガンドとして２−チオフェンエチルアミンを用い、リガンドの固定化量が、０、５、１０、５０、１００μｅｑ／ｍｌゲルになるように反応させた以外は、実施例１〜４と同様の方法で実施し、天疱瘡自己抗体（抗Ｄｓｇ１抗体および抗Ｄｓｇ３抗体）の濃度をＥＬＩＳＡ法にて検出した。その結果を表２に示した。その結果、リガンドの固定化量は、１０μｅｑ／ｍｌゲル以上であれば、抗Ｄｓｇ１抗体、抗Ｄｓｇ３抗体の吸着率が高いことがわかる。
【００４６】
【表２】
2008194304.tif 000004
【産業上の利用可能性】
【００４７】
本発明は、天疱瘡患者の自己抗体及び抗デスモグレイン抗体（抗Dsg1抗体、抗Dsg3抗体）を選択的かつ高率に吸着するので、体外循環吸着療法用の治療器具として有用である。
【図面の簡単な説明】
【００４８】
【図１】本発明の自己抗体吸着材を使用した体外循環モジュールの一例を示すものである。
【符号の説明】
【００４９】
１        …自己抗体吸着材を使用した体外循環モジュール
２        …円筒
３、３´  …フィルター
４、４´  …パッキン
５        …体液導入口
６        …キャップ
７        …体液導出口
８        …キャップ
９        …自己抗体吸着材
【図１】
2008194304.tif 000005